【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウ内の周期固定サブフレームロケーションの間に前記免許不要の無線周波数スペクトル帯域をモニタすることと
を備える、方法。
【請求項２】
前記時間ウィンドウの間に前記免許不要の無線周波数スペクトル帯域をモニタすることは、
前記時間ウィンドウの前に前記ＵＥの受信機をスリープ状態からウェイクアップさせることを備える、
請求項１に記載の方法。
【請求項３】
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループのうちの１つのインジケーションを備える、
請求項１に記載の方法。
【請求項４】
前記タイミング情報に少なくとも部分的に基づいて、前記ＵＥを前記基地局と同期させることをさらに備える、
請求項３に記載の方法。
【請求項５】
前記時間ウィンドウの前記インジケーションは、システム情報ブロックまたはマスタ情報ブロックにおいて受信される、
請求項１に記載の方法。
【請求項６】
前記時間ウィンドウの前記インジケーションは、無線リソース制御（ＲＲＣ）メッセージにおいて受信される、
請求項１に記載の方法。
【請求項７】
前記時間ウィンドウの間に前記基地局に関するシステム情報を受信することをさらに備え、前記システム情報がシステム情報ブロックまたはマスタ情報ブロックにおいて受信される、
請求項１に記載の方法。
【請求項８】
前記同期信号に対して無線リソース管理測定を実行することをさらに備える、
請求項１に記載の方法。
【請求項９】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１に記載の方法。
【請求項１０】
ワイヤレス通信のための装置であって、
ユーザ機器（ＵＥ）において免許不要の無線周波数スペクトル帯域を通じて、同期信号の送信に関連付けられる時間ウィンドウのインジケーションを受信するための手段と、
基地局から前記同期信号を受信するために、前記時間ウィンドウ内の周期固定サブフレームロケーションの間に前記免許不要の無線周波数スペクトル帯域をモニタするための手段と
を備える、装置。
【請求項１１】
前記時間ウィンドウの間に前記免許不要の無線周波数スペクトル帯域をモニタすることは、
前記時間ウィンドウの前に前記ＵＥの受信機をスリープ状態からウェイクアップさせるための手段を備える、
請求項１０に記載の装置。
【請求項１２】
前記時間ウィンドウの間に、前記基地局からタイミング情報を受信するための手段をさらに備え、前記タイミング情報が、前記基地局の現在のフレーム、前記基地局の現在のサブフレーム、または現在のシンボルからなるグループのうちの１つのインジケーションを備える、
請求項１０に記載の装置。
【請求項１３】
ワイヤレス通信のための方法であって、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウ内の周期固定サブフレームロケーションの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を備える、方法。
【請求項１４】
ワイヤレス通信のための装置であって、
同期信号の送信に関連付けられる時間ウィンドウのインジケーションを送信するための手段と、
前記時間ウィンドウの間に免許不要の無線周波数スペクトル帯域に対していくつかのクリアチャネルアセスメント（ＣＣＡ）を実行するための手段と、
前記時間ウィンドウ内の周期固定サブフレームロケーションの間の送信時間に前記免許不要の無線周波数スペクトル帯域を通じて前記同期信号を送信するための手段、ここにおいて、前記送信時間が前記ＣＣＡのうちの少なくとも１つの結果に少なくとも部分的に基づく、と
を備える、装置。
【請求項１５】
実行されると、コンピュータに、請求項１乃至９または１３のいずれか１項に従う方法を実行させる命令を備える、コンピュータプログラム。
【手続補正２】
【補正対象書類名】明細書
【補正対象項目名】０２３７
【補正方法】変更
【補正の内容】
【０２３７】
[0259]本開示の前述の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
以下に、本願出願の当初の特許請求の範囲に記載された発明を付記する。
［Ｃ１］
ワイヤレス通信のための方法であって、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を備える、方法。
［Ｃ２］
前記時間ウィンドウの間に前記免許不要の無線周波数スペクトル帯域をモニタすることは、
前記時間ウィンドウの前に前記ＵＥの受信機をスリープ状態からウェイクアップさせることを備える、
［Ｃ１］に記載の方法。
［Ｃ３］
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループのうちの１つのインジケーションを備える、
［Ｃ１］に記載の方法。
［Ｃ４］
前記タイミング情報に少なくとも部分的に基づいて、前記ＵＥを前記基地局と同期させることをさらに備える、
［Ｃ３］に記載の方法。
［Ｃ５］
前記基地局から前記同期信号を受信するために、前記基地局のクリアチャネルアセスメント（ＣＣＡ）免除送信（ＣＥＴ）の間に前記免許不要の無線周波数スペクトル帯域をモニタすることをさらに備える、
［Ｃ１］に記載の方法。
［Ｃ６］
前記基地局からＣＣＡに従った前記同期信号の送信を受信するために、周期固定サブフレームロケーションの間に前記免許不要の無線周波数スペクトル帯域をモニタすることをさらに備える、
［Ｃ１］に記載の方法。
［Ｃ７］
前記時間ウィンドウは、ＣＣＡに従った前記送信とは異なる、前記免許不要の無線周波数スペクトル帯域のサブキャリア周波数のセットに関連付けられる、
［Ｃ６］に記載の方法。
［Ｃ８］
前記時間ウィンドウは、前記基地局の前記周期固定サブフレームロケーションと時間的に重複する、
［Ｃ６］に記載の方法。
［Ｃ９］
前記時間ウィンドウは、前記基地局の少なくとも１つのクリアチャネルアセスメント（ＣＣＡ）免除送信（ＣＥＴ）に取って代わる、
［Ｃ１］に記載の方法。
［Ｃ１０］
前記時間ウィンドウの前記インジケーションは、システム情報ブロックまたはマスタ情報ブロックにおいて受信される、
［Ｃ１］に記載の方法。
［Ｃ１１］
前記時間ウィンドウの前記インジケーションは、無線リソース制御（ＲＲＣ）メッセージにおいて受信される、
［Ｃ１］に記載の方法。
［Ｃ１２］
前記時間ウィンドウの間に前記基地局に関するシステム情報を受信することをさらに備え、前記システム情報がシステム情報ブロックまたはマスタ情報ブロックにおいて受信される、
［Ｃ１］に記載の方法。
［Ｃ１３］
前記同期信号に対して無線リソース管理測定を実行することをさらに備える、
［Ｃ１］に記載の方法。
［Ｃ１４］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１］に記載の方法。
［Ｃ１５］
ワイヤレス通信のための装置であって、
ユーザ機器（ＵＥ）において免許不要の無線周波数スペクトル帯域を通じて、同期信号の送信に関連付けられる時間ウィンドウのインジケーションを受信するための手段と、
基地局から前記同期信号を受信するために、前記時間ウィンドウの間に前記免許不要の無線周波数スペクトル帯域をモニタするための手段と
を備える、装置。
［Ｃ１６］
前記時間ウィンドウの間に前記免許不要の無線周波数スペクトル帯域をモニタすることは、
前記時間ウィンドウの前に前記ＵＥの受信機をスリープ状態からウェイクアップさせるための手段を備える、
［Ｃ１５］に記載の装置。
［Ｃ１７］
前記時間ウィンドウの間に、前記基地局からタイミング情報を受信するための手段をさらに備え、前記タイミング情報が、前記基地局の現在のフレーム、前記基地局の現在のサブフレーム、または現在のシンボルからなるグループのうちの１つのインジケーションを備える、
［Ｃ１５］に記載の装置。
［Ｃ１８］
前記タイミング情報に少なくとも部分的に基づいて、前記ＵＥを前記基地局と同期させるための手段をさらに備える、
［Ｃ１７］に記載の装置。
［Ｃ１９］
前記基地局から前記同期信号を受信するために、前記基地局のクリアチャネルアセスメント（ＣＣＡ）免除送信（ＣＥＴ）の間に前記免許不要の無線周波数スペクトル帯域をモニタするための手段をさらに備える、
［Ｃ１５］に記載の装置。
［Ｃ２０］
前記基地局からＣＣＡに従った前記同期信号の送信を受信するために、周期固定サブフレームロケーションの間に前記免許不要の無線周波数スペクトル帯域をモニタするための手段をさらに備える、
［Ｃ１５］に記載の装置。
［Ｃ２１］
前記時間ウィンドウは、ＣＣＡに従った前記送信とは異なる、前記免許不要の無線周波数スペクトル帯域のサブキャリア周波数のセットに関連付けられる、
［Ｃ２０］に記載の装置。
［Ｃ２２］
前記時間ウィンドウは、前記基地局の前記周期固定サブフレームロケーションと時間的に重複する、
［Ｃ２０］に記載の装置。
［Ｃ２３］
前記時間ウィンドウは、前記基地局の少なくとも１つのクリアチャネルアセスメント（ＣＣＡ）免除送信（ＣＥＴ）に取って代わる、
［Ｃ１５］に記載の装置。
［Ｃ２４］
前記時間ウィンドウの前記インジケーションは、システム情報ブロックまたはマスタ情報ブロックにおいて受信される、
［Ｃ１５］に記載の装置。
［Ｃ２５］
前記時間ウィンドウの前記インジケーションは、無線リソース制御（ＲＲＣ）メッセージにおいて受信される、
［Ｃ１５］に記載の装置。
［Ｃ２６］
前記時間ウィンドウの間に前記基地局に関するシステム情報を受信するための手段をさらに備え、前記システム情報がシステム情報ブロックまたはマスタ情報ブロックにおいて受信される、
［Ｃ１５］に記載の装置。
［Ｃ２７］
前記同期信号に対して無線リソース管理測定を実行するための手段をさらに備える、
［Ｃ１５］に記載の装置。
［Ｃ２８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１５］に記載の装置。
［Ｃ２９］
ワイヤレス通信のための装置であって、
プロセッサと、
前記プロセッサに結合されたメモリと
を備え、前記プロセッサは、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を行うように構成される、装置。
［Ｃ３０］
前記プロセッサは、
前記時間ウィンドウの前に前記ＵＥの受信機をスリープ状態からウェイクアップさせるように構成される、
［Ｃ２９］に記載の装置。
［Ｃ３１］
前記プロセッサは、
前記時間ウィンドウの間に、前記基地局からタイミング情報を受信するように構成され、前記タイミング情報が、前記基地局の現在のフレーム、前記基地局の現在のサブフレーム、または現在のシンボルからなるグループのうちの１つのインジケーションを備える、
［Ｃ２９］に記載の装置。
［Ｃ３２］
前記プロセッサは、
前記タイミング情報に少なくとも部分的に基づいて、前記ＵＥを前記基地局と同期させるように構成される、
［Ｃ３１］に記載の装置。
［Ｃ３３］
前記プロセッサは、
前記基地局から前記同期信号を受信するために、前記基地局のクリアチャネルアセスメント（ＣＣＡ）免除送信（ＣＥＴ）の間に前記免許不要の無線周波数スペクトル帯域をモニタするように構成される、
［Ｃ２９］に記載の装置。
［Ｃ３４］
前記プロセッサは、
前記基地局からＣＣＡに従った前記同期信号の送信を受信するために、周期固定サブフレームロケーションの間に前記免許不要の無線周波数スペクトル帯域をモニタするように構成される、
［Ｃ２９］に記載の装置。
［Ｃ３５］
前記プロセッサは、
前記時間ウィンドウの間に前記基地局に関するシステム情報を受信するように構成され、前記システム情報がシステム情報ブロックまたはマスタ情報ブロックにおいて受信される、
［Ｃ２９］に記載の装置。
［Ｃ３６］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ２９］に記載の装置。
［Ｃ３７］
プロセッサによって実行可能な命令を記憶するための非一時的コンピュータ可読媒体であって、
ユーザ機器（ＵＥ）において免許不要の無線周波数スペクトル帯域を通じて、同期信号の送信に関連付けられる時間ウィンドウのインジケーションを受信するための命令と、
基地局から前記同期信号を受信するために、前記時間ウィンドウの間に前記免許不要の無線周波数スペクトル帯域をモニタするための命令と
を備える、非一時的コンピュータ可読媒体。
［Ｃ３８］
前記時間ウィンドウの間に前記免許不要の無線周波数スペクトル帯域をモニタするための前記命令は、
前記時間ウィンドウの前に前記ＵＥの受信機をスリープ状態からウェイクアップさせるための命令を備える、
［Ｃ３７］に記載の非一時的コンピュータ可読媒体。
［Ｃ３９］
前記時間ウィンドウの間に、前記基地局からタイミング情報を受信するための命令をさらに備え、前記タイミング情報が、前記基地局の現在のフレーム、前記基地局の現在のサブフレーム、または現在のシンボルからなるグループのうちの１つのインジケーションを備える、
［Ｃ３７］に記載の非一時的コンピュータ可読媒体。
［Ｃ４０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ３７］に記載の非一時的コンピュータ可読媒体。
［Ｃ４１］
ワイヤレス通信のための方法であって、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を備える、方法。
［Ｃ４２］
前記時間ウィンドウの間に前記免許不要の無線周波数スペクトル帯域に対して前記いくつかのＣＣＡを実行することは、
前記時間ウィンドウの間の前記ＣＣＡのうちの最初の成功したものを識別することを備え、
前記送信時間は、前記時間ウィンドウの間の前記ＣＣＡのうちの前記最初の成功したものに後続する、
［Ｃ４１］に記載の方法。
［Ｃ４３］
前記時間ウィンドウの間に前記免許不要の無線周波数スペクトル帯域に対して前記いくつかのＣＣＡを実行することは、
前記時間ウィンドウの間に実行された前記ＣＣＡのうちのいずれも成功しなかったと決定することを備え、
前記送信時間は、前記時間ウィンドウの終わりに発生する、
［Ｃ４１］に記載の方法。
［Ｃ４４］
前記時間ウィンドウの間にタイミング情報を送信することをさらに備え、前記タイミング情報が、基地局の現在のフレーム、前記基地局の現在のサブフレーム、または現在のシンボルからなるグループのうちの１つのインジケーションを備える、
［Ｃ４１］に記載の方法。
［Ｃ４５］
クリアチャネルアセスメント（ＣＣＡ）免除送信（ＣＥＴ）の間に前記免許不要の無線周波数スペクトル帯域を通じて前記同期信号を送信することをさらに備える、
［Ｃ４１］に記載の方法。
［Ｃ４６］
前記同期信号が送信されるサブフレームに関するダウンリンク制御情報（ＤＣＩ）を送信することをさらに備え、前記ＤＣＩが、前記サブフレームにおいて前記同期信号を送信するために使用される少なくとも１つのリソースをシグナリングする、
［Ｃ４１］に記載の方法。
［Ｃ４７］
周期固定サブフレームロケーションの間に、機会主義的に前記免許不要の無線周波数スペクトル帯域を通じて前記同期信号を送信することをさらに備える、
［Ｃ４１］に記載の方法。
［Ｃ４８］
前記時間ウィンドウは、前記機会主義的に送信される同期信号とは異なる、前記免許不要の無線周波数スペクトル帯域のサブキャリア周波数のセットに関連付けられる、
［Ｃ４７］に記載の方法。
［Ｃ４９］
前記時間ウィンドウは、基地局の前記周期固定サブフレームロケーションと時間的に重複する、
［Ｃ４７］に記載の方法。
［Ｃ５０］
前記時間ウィンドウは、基地局の少なくとも１つのクリアチャネルアセスメント（ＣＣＡ）免除送信（ＣＥＴ）に取って代わる、
［Ｃ４１］に記載の方法。
［Ｃ５１］
前記いくつかのＣＣＡは、複数のＣＣＡを備える、
［Ｃ４１］に記載の方法。
［Ｃ５２］
前記時間ウィンドウの前記インジケーションは、システム情報ブロックまたはマスタ情報ブロックにおいて送信される、
［Ｃ４１］に記載の方法。
［Ｃ５３］
前記時間ウィンドウの前記インジケーションは、無線リソース制御（ＲＲＣ）メッセージにおいて送信される、
［Ｃ４１］に記載の方法。
［Ｃ５４］
前記時間ウィンドウの間に基地局に関するシステム情報を送信することをさらに備え、前記システム情報がシステム情報ブロックまたはマスタ情報ブロックにおいて送信される、
［Ｃ４１］に記載の方法。
［Ｃ５５］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ４１］に記載の方法。
［Ｃ５６］
ワイヤレス通信のための装置であって、
同期信号の送信に関連付けられる時間ウィンドウのインジケーションを送信するための手段と、
前記時間ウィンドウの間に免許不要の無線周波数スペクトル帯域に対していくつかのクリアチャネルアセスメント（ＣＣＡ）を実行するための手段と、
前記時間ウィンドウの間の送信時間に前記免許不要の無線周波数スペクトル帯域を通じて前記同期信号を送信するための手段、ここにおいて、前記送信時間が前記ＣＣＡのうちの少なくとも１つの結果に少なくとも部分的に基づく、と
を備える、装置。
［Ｃ５７］
前記時間ウィンドウの間に前記免許不要の無線周波数スペクトル帯域に対して前記いくつかのＣＣＡを前記実行するための手段は、
前記時間ウィンドウの間の前記ＣＣＡのうちの最初の成功したものを識別するための手段を備え、
前記送信時間は、前記時間ウィンドウの間の前記ＣＣＡのうちの前記最初の成功したものに後続する、
［Ｃ５６］に記載の装置。
［Ｃ５８］
前記時間ウィンドウの間に前記免許不要の無線周波数スペクトル帯域に対して前記いくつかのＣＣＡを前記実行するための手段は、
前記時間ウィンドウの間に実行された前記ＣＣＡのうちのいずれも成功しなかったと決定するための手段を備え、
前記送信時間は、前記時間ウィンドウの終わりに発生する、
［Ｃ５６］に記載の装置。
［Ｃ５９］
前記時間ウィンドウの間にタイミング情報を送信するための手段をさらに備え、前記タイミング情報は、基地局の現在のフレーム、前記基地局の現在のサブフレーム、または現在のシンボルからなるグループのうちの１つのインジケーションを備える、
［Ｃ５６］に記載の装置。
［Ｃ６０］
クリアチャネルアセスメント（ＣＣＡ）免除送信（ＣＥＴ）の間に前記免許不要の無線周波数スペクトル帯域を通じて前記同期信号を送信するための手段をさらに備える、
［Ｃ５６］に記載の装置。
［Ｃ６１］
前記同期信号が送信されるサブフレームに関するダウンリンク制御情報（ＤＣＩ）を送信するための手段をさらに備え、前記ＤＣＩは、前記サブフレームにおいて前記同期信号を送信するために使用される少なくとも１つのリソースをシグナリングする、
［Ｃ５６］に記載の装置。
［Ｃ６２］
周期固定サブフレームロケーションの間に、機会主義的に前記免許不要の無線周波数スペクトル帯域を通じて前記同期信号を送信するための手段をさらに備える、
［Ｃ５６］に記載の装置。
［Ｃ６３］
前記時間ウィンドウは、前記機会主義的に送信される同期信号とは異なる、前記免許不要の無線周波数スペクトル帯域のサブキャリア周波数のセットに関連付けられる、［Ｃ６２］に記載の装置。
［Ｃ６４］
前記時間ウィンドウは、基地局の前記周期固定サブフレームロケーションと時間的に重複する、
［Ｃ６２］に記載の装置。
［Ｃ６５］
前記時間ウィンドウは、基地局の少なくとも１つのクリアチャネルアセスメント（ＣＣＡ）免除送信（ＣＥＴ）に取って代わる、
［Ｃ５６］に記載の装置。
［Ｃ６６］
前記いくつかのＣＣＡは、複数のＣＣＡを備える、
［Ｃ５６］に記載の装置。
［Ｃ６７］
前記時間ウィンドウの前記インジケーションは、システム情報ブロックまたはマスタ情報ブロックにおいて送信される、
［Ｃ５６］に記載の装置。
［Ｃ６８］
前記時間ウィンドウの前記インジケーションは、無線リソース制御（ＲＲＣ）メッセージにおいて送信される、
［Ｃ５６］に記載の装置。
［Ｃ６９］
前記時間ウィンドウの間に基地局に関するシステム情報を送信するための手段をさらに備え、前記システム情報がシステム情報ブロックまたはマスタ情報ブロックにおいて送信される、
［Ｃ５６］に記載の装置。
［Ｃ７０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ５６］に記載の装置。
［Ｃ７１］
ワイヤレス通信のための装置であって、
プロセッサと、
前記プロセッサに結合されたメモリと
を備え、前記プロセッサは、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を行うように構成される、装置。
［Ｃ７２］
前記プロセッサは、
前記時間ウィンドウの間にタイミング情報を送信するように構成され、前記タイミング情報は、基地局の現在のフレーム、前記基地局の現在のサブフレーム、または現在のシンボルからなるグループのうちの１つのインジケーションを備える、
［Ｃ７１］に記載の装置。
［Ｃ７３］
前記プロセッサは、
前記同期信号が送信されるサブフレームに関するダウンリンク制御情報（ＤＣＩ）を送信するように構成され、前記ＤＣＩが、前記サブフレームにおいて前記同期信号を送信するために使用される少なくとも１つのリソースをシグナリングする、
［Ｃ７１］に記載の装置。
［Ｃ７４］
前記いくつかのＣＣＡは、複数のＣＣＡを備える、
［Ｃ７１］に記載の装置。
［Ｃ７５］
前記時間ウィンドウの前記インジケーションは、システム情報ブロックまたはマスタ情報ブロックにおいて送信される、
［Ｃ７１］に記載の装置。
［Ｃ７６］
前記時間ウィンドウの前記インジケーションは、無線リソース制御（ＲＲＣ）メッセージにおいて送信される、
［Ｃ７１］に記載の装置。
［Ｃ７７］
前記プロセッサは、
前記時間ウィンドウの間に基地局に関するシステム情報を送信するように構成され、前記システム情報は、システム情報ブロックまたはマスタ情報ブロックにおいて送信される、
［Ｃ７１］に記載の装置。
［Ｃ７８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ７１］に記載の装置。
［Ｃ７９］
プロセッサによって実行可能な命令を記憶するための非一時的コンピュータ可読媒体であって、
同期信号の送信に関連付けられる時間ウィンドウのインジケーションを送信するための命令と、
前記時間ウィンドウの間に免許不要の無線周波数スペクトル帯域に対していくつかのクリアチャネルアセスメント（ＣＣＡ）を実行するための命令と、
前記時間ウィンドウの間の送信時間に前記免許不要の無線周波数スペクトル帯域を通じて前記同期信号を送信するための命令と、ここにおいて、前記送信時間が前記ＣＣＡのうちの少なくとも１つの結果に少なくとも部分的に基づく、
を備える、非一時的コンピュータ可読媒体。
［Ｃ８０］
前記時間ウィンドウの間にタイミング情報を送信するための命令をさらに備え、前記タイミング情報は、基地局の現在のフレーム、前記基地局の現在のサブフレーム、または現在のシンボルからなるグループのうちの１つのインジケーションを備える、
［Ｃ７９］に記載の非一時的コンピュータ可読媒体。
［Ｃ８１］
前記いくつかのＣＣＡは、複数のＣＣＡを備える、
［Ｃ７９］に記載の非一時的コンピュータ可読媒体。
［Ｃ８２］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ７９］に記載の非一時的コンピュータ可読媒体。
［Ｃ８３］
ワイヤレス通信のための方法であって、
ユーザ機器（ＵＥ）において、基地局から同期信号の送信を受信するために、免許不要の無線周波数スペクトル帯域をモニタすることと、
前記基地局から前記同期信号を受信することと
を備える、方法。
［Ｃ８４］
前記同期信号を受信することは、タイミング情報とともに前記同期信号を受信することを備える、
［Ｃ８３］に記載の方法。
［Ｃ８５］
前記タイミング情報は、前記基地局の現在のフレームおよび前記基地局の現在のサブフレームのインジケーションを備える、
［Ｃ８４］に記載の方法。
［Ｃ８６］
前記タイミング情報は、前記基地局の現在のフレーム、前記基地局の現在のサブフレーム、および現在のシンボルのインジケーションを備える、
［Ｃ８４］に記載の方法。
［Ｃ８７］
前記タイミング情報に少なくとも部分的に基づいて、前記ＵＥを前記基地局と同期させることをさらに備える、
［Ｃ８４］に記載の方法。
［Ｃ８８］
前記同期信号とともに前記基地局に関するシステム情報を受信することをさらに備え、前記システム情報は、システム情報ブロックまたはマスタ情報ブロックにおいて受信される、
［Ｃ８３］に記載の方法。
［Ｃ８９］
前記同期信号に対して無線リソース管理測定を実行することをさらに備える、
［Ｃ８３］に記載の方法。
［Ｃ９０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ８３］に記載の方法。
［Ｃ９１］
ワイヤレス通信のための装置であって、
ユーザ機器（ＵＥ）において、基地局から同期信号の送信を受信するために、免許不要の無線周波数スペクトル帯域をモニタするための手段と、
前記基地局から前記同期信号を受信するための手段と
を備える、装置。
［Ｃ９２］
前記同期信号を前記受信するための手段は、タイミング情報とともに前記同期信号を受信するための手段を備える、
［Ｃ９１］に記載の装置。
［Ｃ９３］
前記タイミング情報は、前記基地局の現在のフレームおよび前記基地局の現在のサブフレームのインジケーションを備える、
［Ｃ９２］に記載の装置。
［Ｃ９４］
前記タイミング情報は、前記基地局の現在のフレーム、前記基地局の現在のサブフレーム、および現在のシンボルのインジケーションを備える、
［Ｃ９２］に記載の装置。
［Ｃ９５］
前記タイミング情報に少なくとも部分的に基づいて、前記ＵＥを前記基地局と同期させるための手段をさらに備える、
［Ｃ９２］に記載の装置。
［Ｃ９６］
前記同期信号とともに前記基地局に関するシステム情報を受信するための手段をさらに備え、前記システム情報がシステム情報ブロックまたはマスタ情報ブロックにおいて受信される、
［Ｃ９１］に記載の装置。
［Ｃ９７］
前記同期信号に対して無線リソース管理測定を実行するための手段をさらに備える、
［Ｃ９１］に記載の装置。
［Ｃ９８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ９１］に記載の装置。
［Ｃ９９］
ワイヤレス通信のための装置であって、
プロセッサと、
前記プロセッサに結合されたメモリと
を備え、前記プロセッサは、
ユーザ機器（ＵＥ）において、基地局から同期信号の送信を受信するために、免許不要の無線周波数スペクトル帯域をモニタすることと、
前記基地局から前記同期信号を受信することと
を行うように構成される、装置。
［Ｃ１００］
前記同期信号を受信するように構成される前記プロセッサは、
タイミング情報とともに前記同期信号を受信するように構成される前記プロセッサを備える、
［Ｃ９９］に記載の装置。
［Ｃ１０１］
前記タイミング情報は、前記基地局の現在のフレームおよび前記基地局の現在のサブフレームのインジケーションを備える、
［Ｃ１００］に記載の装置。
［Ｃ１０２］
前記タイミング情報は、前記基地局の現在のフレーム、前記基地局の現在のサブフレーム、および現在のシンボルのインジケーションを備える、
［Ｃ１００］に記載の装置。
［Ｃ１０３］
前記プロセッサは、
前記タイミング情報に少なくとも部分的に基づいて、前記ＵＥを前記基地局と同期させるように構成される、
［Ｃ１００］に記載の装置。
［Ｃ１０４］
前記プロセッサは、
前記同期信号に対して無線リソース管理測定を実行するように構成される、［Ｃ９９］に記載の装置。
［Ｃ１０５］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ９９］に記載の装置。
［Ｃ１０６］
プロセッサによって実行可能な命令を記憶するための非一時的コンピュータ可読媒体であって、
ユーザ機器（ＵＥ）において、基地局から同期信号の送信を受信するために、免許不要の無線周波数スペクトル帯域をモニタするための命令と、
前記基地局から前記同期信号を受信するための命令と
を備える、非一時的コンピュータ可読媒体。
［Ｃ１０７］
前記同期信号を受信するための前記命令は、
タイミング情報とともに前記同期信号を受信するための命令を備える、
［Ｃ１０６］に記載の非一時的コンピュータ可読媒体。
［Ｃ１０８］
前記同期信号に対して無線リソース管理測定を実行するための命令をさらに備える、
［Ｃ１０６］に記載の非一時的コンピュータ可読媒体。
［Ｃ１０９］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１０６］に記載の非一時的コンピュータ可読媒体。
［Ｃ１１０］
ワイヤレス通信のための方法であって、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を備える、方法。
［Ｃ１１１］
前記同期信号を送信することは、タイミング情報とともに前記同期信号を送信することを備える、
［Ｃ１１０］に記載の方法。
［Ｃ１１２］
前記タイミング情報は、前記基地局の現在のフレームおよび前記基地局の現在のサブフレームのインジケーションを備える、
［Ｃ１１１］に記載の方法。
［Ｃ１１３］
前記タイミング情報は、前記基地局の現在のフレーム、前記基地局の現在のサブフレーム、および現在のシンボルのインジケーションを備える、
［Ｃ１１１］に記載の方法。
［Ｃ１１４］
前記免許不要の無線周波数スペクトル帯域に対して前記いくつかのＣＣＡを実行することは、
前記ＣＣＡのうちの最初の成功したものを識別することを備え、
前記送信時間は、前記ＣＣＡのうちの前記最初の成功したものに後続する、
［Ｃ１１０］に記載の方法。
［Ｃ１１５］
前記免許不要の無線周波数スペクトル帯域に対して前記いくつかのＣＣＡを実行することは、
前記ＣＣＡのうちのいずれも成功しなかったと決定することを備え、
前記送信時間は、前記いくつかのＣＣＡのうちの最後の不成功のものの実行に後続する、
［Ｃ１１０］に記載の方法。
［Ｃ１１６］
前記いくつかのＣＣＡは、複数のＣＣＡを備える、
［Ｃ１１０］に記載の方法。
［Ｃ１１７］
前記同期信号とともに前記基地局に関するシステム情報を送信することをさらに備え、前記システム情報がシステム情報ブロックまたはマスタ情報ブロックにおいて送信される、［Ｃ１１０］に記載の方法。
［Ｃ１１８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１１０］に記載の方法。
［Ｃ１１９］
ワイヤレス通信のための装置であって、
基地局において、免許不要の無線周波数スペクトル帯域に対していくつかのクリアチャネルアセスメント（ＣＣＡ）を実行するための手段と、
前記ＣＣＡのうちの少なくとも１つの結果に少なくとも部分的に基づく送信時間に、前記免許不要の無線周波数スペクトル帯域を通じて同期信号を送信するための手段と
を備える、装置。
［Ｃ１２０］
前記同期信号を前記送信するための手段は、
タイミング情報とともに前記同期信号を受信するための手段を備える、
［Ｃ１１９］に記載の装置。
［Ｃ１２１］
前記タイミング情報は、前記基地局の現在のフレームおよび前記基地局の現在のサブフレームのインジケーションを備える、
［Ｃ１２０］に記載の装置。
［Ｃ１２２］
前記タイミング情報は、前記基地局の現在のフレーム、前記基地局の現在のサブフレーム、および現在のシンボルのインジケーションを備える、
［Ｃ１２０］に記載の装置。
［Ｃ１２３］
前記免許不要の無線周波数スペクトル帯域に対して前記いくつかのＣＣＡを前記実行するための手段は、
前記ＣＣＡのうちの最初の成功したものを識別するための手段を備え、
前記送信時間は、前記ＣＣＡのうちの前記最初の成功したものに後続する、
［Ｃ１１９］に記載の装置。
［Ｃ１２４］
前記免許不要の無線周波数スペクトル帯域に対して前記いくつかのＣＣＡを前記実行するための手段は、
前記ＣＣＡのうちのいずれも成功しなかったと決定するための手段を備え、
前記送信時間は、前記いくつかのＣＣＡのうちの最後の不成功のものの実行に後続する、
［Ｃ１１９］に記載の装置。
［Ｃ１２５］
前記いくつかのＣＣＡは、複数のＣＣＡを備える、
［Ｃ１１９］に記載の装置。
［Ｃ１２６］
前記同期信号とともに前記基地局に関するシステム情報を送信するための手段をさらに備え、前記システム情報がシステム情報ブロックまたはマスタ情報ブロックにおいて送信される、
［Ｃ１１９］に記載の装置。
［Ｃ１２７］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１１９］に記載の装置。
［Ｃ１２８］
ワイヤレス通信のための装置であって、
プロセッサと、
前記プロセッサに結合されたメモリと
を備え、前記プロセッサは、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を行うように構成される、装置。
［Ｃ１２９］
前記同期信号を送信するように構成される前記プロセッサは、
タイミング情報とともに前記同期信号を送信するように構成される前記プロセッサを備える、
［Ｃ１２８］に記載の装置。
［Ｃ１３０］
前記タイミング情報は、前記基地局の現在のフレームおよび前記基地局の現在のサブフレームのインジケーションを備える、
［Ｃ１２９］に記載の装置。
［Ｃ１３１］
前記タイミング情報は、前記基地局の現在のフレーム、前記基地局の現在のサブフレーム、および現在のシンボルのインジケーションを備える、
［Ｃ１２９］に記載の装置。
［Ｃ１３２］
前記いくつかのＣＣＡは、複数のＣＣＡを備える、
［Ｃ１２８］に記載の装置。
［Ｃ１３３］
前記プロセッサは、
前記同期信号とともに前記基地局に関するシステム情報を送信するように構成され、前記システム情報がシステム情報ブロックまたはマスタ情報ブロックにおいて送信される、
［Ｃ１２８］に記載の装置。
［Ｃ１３４］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１２８］に記載の装置。
［Ｃ１３５］
プロセッサによって実行可能な命令を記憶するための非一時的コンピュータ可読媒体であって、
基地局において、免許不要の無線周波数スペクトル帯域に対していくつかのクリアチャネルアセスメント（ＣＣＡ）を実行するための命令と、
前記ＣＣＡのうちの少なくとも１つの結果に少なくとも部分的に基づく送信時間に、前記免許不要の無線周波数スペクトル帯域を通じて同期信号を送信するための命令と
を備える、非一時的コンピュータ可読媒体。
［Ｃ１３６］
前記同期信号を送信するための前記命令は、
タイミング情報とともに前記同期信号を送信するための命令を備える、
［Ｃ１３５］に記載の非一時的コンピュータ可読媒体。
［Ｃ１３７］
前記いくつかのＣＣＡは、複数のＣＣＡを備える、
［Ｃ１３５］に記載の非一時的コンピュータ可読媒体。
［Ｃ１３８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１３５］に記載の非一時的コンピュータ可読媒体。